(57)【特許請求の範囲】
【請求項１】
下方に開口する反射板と，長手方向が反射板の開口と略平行となるように反射板の内部に取り付けられる片口金蛍光灯とを有する埋込型照明器具において、上記片口金蛍光灯が、３組の発光管をブリッジを介して直列的に、かつ、同３組の発光管のうち、２組の発光管を不連続となるように繋がれたものであり、上記２組の発光管にフィラメントを形成するとともに、残りの１組の発光管にアマルガム部分を形成して、上記２組の発光管どうしの間に介在してフィラメントを形成している２組の発光管を高さ方向で上方になるように，しかも，アマルガム部分を形成している残りの１組の発光管を高さ方向で下方となるように，位置決めする位置決め具が設けられたことを特徴とする埋込型照明器具。
【請求項２】
上記位置決め具が、上記反射板の内部の上方部分に取り付けられたものであることを特徴とする請求項１記載の埋込型照明器具。
【請求項３】
上記位置決め具が、断面略Ｌ字状に形成されたものであることを特徴とする請求項１または請求項２記載の埋込型照明器具。
【発明の詳細な説明】
【０００１】
【発明の属する技術分野】
本発明は、埋込型照明器具に関し、具体的には、片口金蛍光灯を用いた埋込型照明器具に関するものである。
【０００２】
【従来の技術】
従来の埋込型照明器具としては、例えば、図５に示すごとく、片口金蛍光灯（２）が用いられるものが知られており、この片口金蛍光灯（２）には、ランプ特性決定要因が異なるランプが存在していた。
【０００３】
その１つが、最冷点の温度により、ランプ特性を決定するノーマルランプであり、もう１つがアマルガムの温度により、ランプ特性を決定するアマルガムランプである。
【０００４】
図６に示すごとく、ノーマルランプとアマルガムランプとのそれぞれのランプ単体の特性を示したグラフによると、アマルガムランプは、ノーマルランプに比べて、広い温度範囲で最適な特性を保ち、特に高温域での特性が良いといった特徴をもつものであった。
【０００５】
次に、片口金蛍光灯（２）におけるランプ特性決定部について説明すると、図７に示すごとく、Ｂｕ点灯時ノーマルランプの最冷点の位置が点（１４）であり、片口金蛍光灯（２）の先端部（４）がランプ特性決定部（１３）となる。また、図８に示すごとく、アマルガムランプのアマルガムの位置がアマルガム部（１５）であり、片口金蛍光灯（２）のベース部（３）がランプ特性決定部（１３）となる。つまり、同一の埋込型照明器具に取り付けることが可能な片口金蛍光灯（２）でランプ特性決定部（１３）の位置が異なることになるものである。  ここで、片口金蛍光灯（２）の４２Ｗランプ（ＦＨＴ４２）を上記図５の構造で開口径１３０ｍｍの埋込型照明器具に用いた場合の周囲温度２５℃における入力電力を反射板無しのときを１００％（なお、反射板無しのときがランプ単体の特性と同じで、ランプ定格電力に近い使用状態では、入力電力と光出力がほぼ比例する。）として示すと、ノーマルランプ９６．３％であり、アマルガムランプ９３．８％であった。
【０００６】
この結果より、ノーマルランプ使用時の光束低下は、比較的小さいのに比べて、本来器具組み込み時などのランプ周囲温度が高くなる場合でも、光束が改善されるはずのアマルガムランプ使用時の光束が低下していることがわかるものである。これは、反射板の構造としてランプ先端部方向の開口部が広く、ランプベース部方向の開口部が狭くなる構造で、かつ、ランプベース部が上方となるようにランプを取り付けるため、ランプ周囲温度がランプ先端部で低く、ランプベース部で高くなる温度勾配を持ち、ランプベース部周囲温度が高くなりすぎている結果である。
【０００７】
つまり、ランプ単体状態で、ランプ特性を設計されたそれぞれのランプのランプ特性決定部（１３）の位置が異なり、器具組み込み時のそれぞれのランプ特性決定部（１３）の周囲温度の差が、小型、高効率の動きの中で、ますます大きくなっている結果である。
【０００８】
そこで、ランプ特性決定部（１３）の位置が異なるランプを使用する場合、それぞれのランプ特性決定部（１３）の周囲温度差を小さくする必要が出てきたものであった。
【０００９】
【発明が解決しようとする課題】
本発明は、上述の事実に鑑みてなされたものであって、その目的とするところは、ランプ特性決定部の位置が異なるランプを使用する場合であっても、それぞれのランプ特性決定部の周囲温度差を小さくすることができる埋込型照明器具を提供することにある。
【００１０】
【課題を解決するための手段】
本発明の請求項１に係る埋込型照明器具は、下方に開口する反射板（１）と，長手方向が反射板（１）の開口と略平行となるように反射板（１）の内部に取り付けられる片口金蛍光灯（２）とを有する埋込型照明器具において、上記片口金蛍光灯（２）が、３組の発光管（５）をブリッジ（７）を介して直列的に、かつ、同３組の発光管（５）のうち、２組の発光管（５）を不連続となるように繋がれたものであり、上記２組の発光管（５）にフィラメント（９）を形成するとともに、残りの１組の発光管（５）にアマルガム部分（６）を形成して、上記２組の発光管（５）どうしの間に介在してフィラメント（９）を形成している２組の発光管（５）を高さ方向で上方になるように，しかも，アマルガム部分（６）を形成している残りの１組の発光管（５）を高さ方向で下方となるように，位置決めする位置決め具（４）が設けられたことを特徴とする。
【００１１】
本発明の請求項２に係る埋込型照明器具は、上記位置決め具（４）が、上記反射板（１）の内部の上方部分に取り付けられたものであることを特徴とする。
【００１２】
本発明の請求項３に係る埋込型照明器具は、上記位置決め具（４）が、断面略Ｌ字状に形成されたものであることを特徴とする。
【００１３】
【発明の実施の形態】
以下、本発明を実施形態に係る図面に基いて詳しく説明する。
【００１４】
図１は、本発明の一実施形態に係る埋込型照明器具を示した断面図である。図２は、本発明の一実施形態に係る埋込型照明器具を取り付ける際の様子を示した断面図である。図３は、本発明の一実施形態に係る埋込型照明器具の取り付け完了直前の様子を示した断面図である。図４の（ａ）は、本発明の埋込型照明器具に用いられる一実施形態に係る片口金蛍光灯と位置決め金具との取り付けられた後の様子を示した断面図であり、図４の（ｂ）は、同図４の（ａ）の側面図である。
【００１５】
本発明の埋込型照明器具は、図１ないし図４に示すごとく、下方に開口する反射板（１）と，長手方向が反射板（１）の開口と略平行となるように反射板（１）の内部に取り付けられる片口金蛍光灯（２）とを有する埋込型照明器具において、上記片口金蛍光灯（２）が、３組の発光管（５）をブリッジ（７）を介して直列的に、かつ、同３組の発光管（５）のうち、２組の発光管（５）を不連続となるように繋がれたものであり、上記２組の発光管（５）にフィラメント（９）を形成するとともに、残りの１組の発光管（５）にアマルガム部分（６）を形成して、上記２組の発光管（５）どうしの間に介在してフィラメント（９）を形成している２組の発光管（５）を高さ方向で上方になるように，しかも，アマルガム部分（６）を形成している残りの１組の発光管（５）を高さ方向で下方となるように，位置決めする位置決め具（４）が設けられているものである。
【００１６】
上記反射板（１）としては、光を反射することができるものであれば、特に制限されるものではなく、金属製のものであってもかまわないし、樹脂製のものであってもかまわないものである。
【００１７】
上記片口金蛍光灯（２）には、ランプ特性決定要因が異なるランプが存在しており、その１つが、最冷点（８）の温度により、ランプ特性を決定するノーマルランプであり、もう１つがアマルガムの温度により、ランプ特性を決定するアマルガムランプである。ちなみに、ノーマルランプでは、図１ないし図３、図４の（ｂ）に示すごとく、片口金蛍光灯（２）の先端部が最冷点（８）となるものである。また、この片口金蛍光灯（２）としては、例えば、フィラメント（９）が露出しているようになっていてもかまわないものである。
【００１８】
また、図１および図４の（ａ）に示すごとく、上記片口金蛍光灯（２）は、３組の発光管（５）をブリッジ（７）を介して直列的に繋がれていて、しかも、同３組の発光管（５）のうち、２組の発光管（５）を不連続となるように繋がれたものである。この発光管（５）は、いずれも外形Ｕ字型のものであって、横置きされるものである。そして、この３組の発光管（５）からなる片口金蛍光灯（２）は、図２から図３に示すようにして、差込式ソケット（３）に差し込まれて取り付けられるものである。
【００１９】
本発明では、図１ないし図４に示すごとく、上記２組の発光管（５）にフィラメント（９）を形成するとともに、残りの１組の発光管（５）にアマルガム部分（６）を形成しているものである。
【００２０】
上記位置決め具（４）は、図１および図４の（ａ）に示すごとく、上記２組の発光管（５）どうしの間に介在するように設けられているものである。すなわち、この位置決め具（４）は、上記ブリッジ（７）で繋がれていない２組の発光管（５）どうしの間に介在しているものである。この位置決め具（４）としては、一般には金属製のもの、いわゆる、金具が使用されるものであるが、耐熱性などを有するものであれば、樹脂製のものであってもかまわず、特に制限されるものではないものである。
【００２１】
本発明のようにすることで、不連続となるように繋がれた２組の発光管（５）どうしの間に介在するように設けられた位置決め具（４）にて片口金蛍光灯（２）としては、常に取り付け方向が一定に保たれて取り付けられるものとなる上に、同２組の発光管（５）にフィラメント（９）を形成しているとともに、残りの１組の発光管（５）にアマルガム部分（６）を形成していることで、フィラメント（９）の発熱による熱の影響をアマルガム部分（６）で受けることがなくて、その結果、片口金蛍光灯（２）のアマルガム部分（６）の温度低減が促されるものとなる。そして、それぞれのランプ特性決定部の温度差が小さくなり、ノーマルランプ取り付け時の特性にほとんど変化がなく、アマルガムランプ取り付け時の特性が改善されるものである。
【００２２】
本発明は、このような構成をとることによって、ランプ特性決定部の位置が異なるランプを使用する場合であっても、それぞれのランプ特性決定部の周囲温度差を小さくすることができるものである。
【００２３】
また、図１ないし図４に示すごとく、上記位置決め具（４）が、上記反射板（１）の内部の上方部分に取り付けられたものであると、反射板（１）の内部の上方部分に取り付けられた位置決め具（４）にて片口金蛍光灯（２）の照明が遮られたりすることがなく、照明効果に影響を与えないものである上に、同位置決め具（４）にて不連続となるように繋がれ、フィラメント（９）を形成している２組の発光管（５）を高さ方向で上方となるように、しかも、アマルガム部分（６）を形成している残りの１組の発光管（５）を高さ方向で下方となるように片口金蛍光灯（２）が一定の方向で取り付けられるものとなり、フィラメント（９）の発熱による熱の影響をアマルガム部分（６）で確実に受けることがなくて、その結果、片口金蛍光灯（２）のアマルガム部分（６）の温度低減がより一層確実に促されるものとなる。そして、それぞれのランプ特性決定部の温度差がより一層確実に小さくなり、ノーマルランプ取り付け時の特性にほとんど変化がなく、アマルガムランプ取り付け時の特性がより一層確実に改善されるものである。
【００２４】
さらに、図１に示すごとく、上記位置決め具（４）が、断面略Ｌ字状に形成されたものであると、断面略Ｌ字状に形成された位置決め具（４）の一辺を反射板（１）の内部に接触させながら、同位置決め具（４）を簡単に取り付けることができるものであり、同位置決め具（４）の設置が非常に容易なものとなる。
【００２５】
本発明に係る埋込型照明器具によると、図１ないし図４に示すごとく、下方に開口する反射板（１）と，長手方向が反射板（１）の開口と略平行となるように反射板（１）の内部に取り付けられる片口金蛍光灯（２）とを有する埋込型照明器具において、上記片口金蛍光灯（２）が、３組の発光管（５）をブリッジ（７）を介して直列的に、かつ、同３組の発光管（５）のうち、２組の発光管（５）を不連続となるように繋がれたものであり、上記２組の発光管（５）にフィラメント（９）を形成するとともに、残りの１組の発光管（５）にアマルガム部分（６）を形成して、上記２組の発光管（５）どうしの間に介在するように位置決め具（４）が設けられたので、不連続となるように繋がれた２組の発光管（５）どうしの間に介在するように設けられた位置決め具（４）にて片口金蛍光灯（２）としては、常に取り付け方向が一定に保たれて取り付けられるものとなる上に、同２組の発光管（５）にフィラメント（９）を形成しているとともに、残りの１組の発光管（５）にアマルガム部分（６）を形成していることで、フィラメント（９）の発熱による熱の影響をアマルガム部分（６）で受けることがなくて、その結果、片口金蛍光灯（２）のアマルガム部分（６）の温度低減が促されるものとなる。そして、それぞれのランプ特性決定部の温度差が小さくなり、ノーマルランプ取り付け時の特性にほとんど変化がなく、アマルガムランプ取り付け時の特性が改善されるものである。
【００２６】
すなわち、本発明は、ランプ特性決定部の位置が異なるランプを使用する場合であっても、それぞれのランプ特性決定部の周囲温度差を小さくすることができるものである。
【００２７】
【発明の効果】
本発明の請求項１に係る埋込型照明器具によると、ランプ特性決定部の位置が異なるランプを使用する場合であっても、それぞれのランプ特性決定部の周囲温度差を小さくすることができるものである。
【００２８】
本発明の請求項２に係る埋込型照明器具によると、請求項１記載の場合に加えて、ランプ特性決定部の位置が異なるランプを使用する場合であっても、それぞれのランプ特性決定部の周囲温度差をより一層確実に小さくすることができるものである上に、アマルガムランプ取り付け時の改善効果としてもより一層大きいものである。
【００２９】
本発明の請求項３に係る埋込型照明器具によると、請求項１または請求項２記載の場合に加えて、断面略Ｌ字状に形成された位置決め具（４）の一辺を反射板（１）の内部に接触させながら、同位置決め具（４）を簡単に取り付けることができるものであり、同位置決め具（４）の設置が非常に容易なものとなる。
【図面の簡単な説明】
【図１】本発明の一実施形態に係る埋込型照明器具を示した断面図である。
【図２】本発明の一実施形態に係る埋込型照明器具を取り付ける際の様子を示した断面図である。
【図３】本発明の一実施形態に係る埋込型照明器具の取り付け完了直前の様子を示した断面図である。
【図４】（ａ）は、本発明の埋込型照明器具に用いられる一実施形態に係る片口金蛍光灯と位置決め金具との取り付けられた後の様子を示した断面図であり、（ｂ）は、（ａ）の側面図である。
【図５】従来例に係る埋込型照明器具を示した断面図である。
【図６】従来例に係る埋込型照明器具において、周囲温度と光束との関係を示したグラフ図である。
【図７】（ａ）、（ｂ）ともに従来例に係る埋込型照明器具において、Ｂｕ点灯時ノーマルランプの最冷点の位置とランプ特性決定部を示した概略図である。
【図８】（ａ）、（ｂ）ともに従来例に係る埋込型照明器具において、アマルガムランプのアマルガムの位置とランプ特性決定部を示した概略図である。
【符号の説明】
１    反射板
２    片口金蛍光灯
４    位置決め具
５    発光管
６    アマルガム部分
７    ブリッジ
９    フィラメント
【図１】
0003858541.tif 000002
【図２】
0003858541.tif 000003
【図３】
0003858541.tif 000004
【図４】
0003858541.tif 000005
【図５】
0003858541.tif 000006
【図６】
0003858541.tif 000007
【図７】
0003858541.tif 000008
【図８】
0003858541.tif 000009